(57)【要約】【課題】印画されたロール紙を収納容器に収納するとそのままスタンドとなり、しかも、スタンド以外の部分を隠すことにより、皆が楽しく観賞でき、部屋のインテリアにもなるようにする。【解決手段】印画されたロール紙１２の収納容器１３と、収納容器１３を立てておくための台座１４と、立てた状態の収納容器１３の前面に取り付けられる透明蓋１５とを備え、ロール紙１２は、収納容器１３を立てた状態で、収納容器１３の背面側に位置して隠れており、印画を行うと、印画されたロール紙１２が収納容器１３内に自動的に収納され、透明蓋１５を介して観賞できるようにした。【選択図】図１
2006036447.tif 000002
【特許請求の範囲】
【請求項１】
印画された記録用紙の収納容器と、
前記収納容器内に前記記録用紙を収納するための収納口と、
前記収納容器を立てておくための台座と、
立てた状態の前記収納容器の前面に取り付けられる透明蓋と
を備え、
前記収納容器内に収納された前記記録用紙を前記透明蓋を介して観賞可能とする印画済み用紙スタンドであって、
前記収納容器を立てた状態で、前記収納容器の背面側に画像形成装置の印画部を接続可能な接続部を備え、
前記接続部に前記印画部を接続して印画を行うと、印画された前記記録用紙は、前記収納口から前記収納容器内に自動的に収納可能となる
ことを特徴とする印画済み用紙スタンド。
【請求項２】
請求項１に記載の印画済み用紙スタンドにおいて、
前記収納容器は、前記収納容器内に収納された前記記録用紙の照明具を備える
ことを特徴とする印画済み用紙スタンド。
【請求項３】
請求項１に記載の印画済み用紙スタンドにおいて、
前記収納容器は、情報を表示する表示器を備え、前記記録用紙は、前記透明蓋と前記表示器との間に形成された空間内に収納される
ことを特徴とする印画済み用紙スタンド。
【請求項４】
請求項１に記載の印画済み用紙スタンドにおいて、
前記収納容器は、情報を表示する表示器を備え、前記表示器は、前記印画部によって前記記録用紙に印画可能な情報を表示する
ことを特徴とする印画済み用紙スタンド。
【請求項５】
請求項１に記載の印画済み用紙スタンドにおいて、
前記透明蓋は、前記収納容器に対して開閉可能であり、前記透明蓋を開くことによって前記収納容器内に収納された前記記録用紙が取出し可能となる
ことを特徴とする印画済み用紙スタンド。
【請求項６】
請求項１に記載の印画済み用紙スタンドにおいて、
前記透明蓋は、前記透明蓋上に情報を表示する表示部を備える
ことを特徴とする印画済み用紙スタンド。
【請求項７】
請求項１に記載の印画済み用紙スタンドにおいて、
前記透明蓋は、前記透明蓋上に情報を表示する表示部を備え、前記表示部は、タッチパネル機能を有する
ことを特徴とする印画済み用紙スタンド。
【請求項８】
請求項１に記載の印画済み用紙スタンドにおいて、
前記記録用紙は、長尺の記録用紙がロール状に巻かれたロール紙であり、前記台座の上部に配置される
ことを特徴とする印画済み用紙スタンド。
【請求項９】
請求項１に記載の印画済み用紙スタンドにおいて、
前記収納容器内に収納された前記記録用紙は、前記収納口から自動的に排出可能である
ことを特徴とする印画済み用紙スタンド。
【請求項１０】
請求項１に記載の印画済み用紙スタンドにおいて、
印画された前記記録用紙は、前記収納容器内に収納することなく自動的に排出可能である
ことを特徴とする印画済み用紙スタンド。
【請求項１１】
印画された記録用紙の収納容器と、
前記収納容器内に前記記録用紙を収納するための収納口と、
前記収納容器と画像形成装置の印画部とを接続するための接続部と
を備え、
前記接続部によって前記収納容器と前記印画部とを接続して印画を行うと、印画された前記記録用紙が前記収納口から前記収納容器内に自動的に収納可能となる排紙トレーであって、
前記収納容器を立てておくための台座と、
立てた状態の前記収納容器の前面に取り付けられる透明蓋と
を備え、
前記接続部は、前記収納容器を立てた状態で、前記収納容器の背面側に前記印画部を接続可能であり、
前記収納容器内に収納された前記記録用紙は、前記透明蓋を介して観賞可能である
ことを特徴とする排紙トレー。
【請求項１２】
請求項１１に記載の排紙トレーにおいて、
前記収納容器は、前記収納容器内に収納された前記記録用紙の照明具を備える
ことを特徴とする排紙トレー。
【請求項１３】
請求項１１に記載の排紙トレーにおいて、
前記収納容器は、情報を表示する表示器を備え、前記記録用紙は、前記透明蓋と前記表示器との間に形成された空間内に収納される
ことを特徴とする排紙トレー。
【請求項１４】
請求項１１に記載の排紙トレーにおいて、
前記収納容器は、情報を表示する表示器を備え、前記表示器は、前記印画部によって前記記録用紙に印画可能な情報を表示する
ことを特徴とする排紙トレー。
【請求項１５】
請求項１１に記載の排紙トレーにおいて、
前記透明蓋は、前記収納容器に対して開閉可能であり、前記透明蓋を開くことによって前記収納容器内に収納された前記記録用紙が取出し可能となる
ことを特徴とする排紙トレー。
【請求項１６】
請求項１１に記載の排紙トレーにおいて、
前記透明蓋は、前記透明蓋上に情報を表示する表示部を備える
ことを特徴とする排紙トレー。
【請求項１７】
請求項１１に記載の排紙トレーにおいて、
前記透明蓋は、前記透明蓋上に情報を表示する表示部を備え、前記表示部は、タッチパネル機能を有する
ことを特徴とする排紙トレー。
【請求項１８】
請求項１１に記載の排紙トレーにおいて、
前記記録用紙は、長尺の記録用紙がロール状に巻かれたロール紙であり、前記台座の上部に配置される
ことを特徴とする排紙トレー。
【請求項１９】
請求項１１に記載の排紙トレーにおいて、
前記収納容器内に収納された前記記録用紙は、前記収納口から自動的に排出可能である
ことを特徴とする排紙トレー。
【請求項２０】
請求項１１に記載の排紙トレーにおいて、
印画された前記記録用紙は、前記収納容器内に収納することなく自動的に排出可能である
ことを特徴とする排紙トレー。
【請求項２１】
記録用紙に印画を行う印画部と、
印画された前記記録用紙の収納容器と、
前記収納容器内に前記記録用紙を収納するための収納口と
を備え、
前記印画部によって印画を行うと、印画された前記記録用紙が前記収納口から前記収納容器内に自動的に収納可能となる画像形成装置であって、
前記収納容器を立てておくための台座と、
立てた状態の前記収納容器の前面に取り付けられる透明蓋と
を備え、
前記印画部は、前記収納容器を立てた状態で、前記収納容器の背面側に位置しており、
前記収納容器内に収納された前記記録用紙は、前記透明蓋を介して観賞可能である
ことを特徴とする画像形成装置。
【請求項２２】
請求項２１に記載の画像形成装置において、
前記収納容器と前記印画部とを接続するための接続部を備え、前記接続部によって前記収納容器と前記印画部とが着脱自在である
ことを特徴とする画像形成装置。
【請求項２３】
請求項２１に記載の画像形成装置において、
前記収納容器は、前記収納容器内に収納された前記記録用紙の照明具を備える
ことを特徴とする画像形成装置。
【請求項２４】
請求項２１に記載の画像形成装置において、
前記収納容器は、情報を表示する表示器を備え、前記記録用紙は、前記透明蓋と前記表示器との間に形成された空間内に収納される
ことを特徴とする画像形成装置。
【請求項２５】
請求項２１に記載の画像形成装置において、
前記収納容器は、情報を表示する表示器を備え、前記表示器は、前記印画部によって前記記録用紙に印画可能な情報を表示する
ことを特徴とする画像形成装置。
【請求項２６】
請求項２１に記載の画像形成装置において、
前記透明蓋は、前記収納容器に対して開閉可能であり、前記透明蓋を開くことによって前記収納容器内に収納された前記記録用紙が取出し可能となる
ことを特徴とする画像形成装置。
【請求項２７】
請求項２１に記載の画像形成装置において、
前記透明蓋は、前記透明蓋上に情報を表示する表示部を備える
ことを特徴とする画像形成装置。
【請求項２８】
請求項２１に記載の画像形成装置において、
前記透明蓋は、前記透明蓋上に情報を表示する表示部を備え、前記表示部は、タッチパネル機能を有する
ことを特徴とする画像形成装置。
【請求項２９】
請求項２１に記載の画像形成装置において、
前記記録用紙は、長尺の記録用紙がロール状に巻かれたロール紙であり、前記台座の上部に配置される
ことを特徴とする画像形成装置。
【請求項３０】
請求項２１に記載の画像形成装置のにおいて、
前記収納容器内に収納された前記記録用紙は、前記収納口から自動的に排出可能である
ことを特徴とする画像形成装置。
【請求項３１】
請求項２１に記載の画像形成装置において、
印画された前記記録用紙は、前記収納容器内に収納することなく自動的に排出可能である
ことを特徴とする画像形成装置。
【請求項３２】
情報を表示する表示器と、
前記表示器を立てておくための台座と、
立てた状態の前記表示器の前面に取り付けられる透明蓋と
を備え、
前記表示器に表示された情報を前記透明蓋を介して縦覧可能とする情報表示装置であって、
前記表示器を立てた状態で、前記表示器の背面側に画像形成装置の印画部を接続可能な接続部と、
前記透明蓋と前記表示器との間に形成された空間内に前記印画部によって印画された記録用紙を収納するための収納口と
を備え、
前記接続部に前記印画部を接続して印画を行うと、印画された前記記録用紙が前記収納口から前記空間内に自動的に収納可能となり、
前記空間内に収納された前記記録用紙は、前記透明蓋を介して観賞可能である
ことを特徴とする情報表示装置。
【請求項３３】
請求項３２に記載の情報表示装置において、
前記表示器は、前記印画部によって前記記録用紙に印画可能な情報を表示する
ことを特徴とする情報表示装置。
【請求項３４】
請求項３２に記載の情報表示装置において、
前記透明蓋は、前記収納容器に対して開閉可能であり、前記透明蓋を開くことによって前記収納容器内に収納された前記記録用紙が取出し可能となる
ことを特徴とする情報表示装置。
【請求項３５】
請求項３２に記載の情報表示装置において、
前記透明蓋は、前記透明蓋上に情報を表示する表示部を備える
ことを特徴とする情報表示装置。
【請求項３６】
請求項３２に記載の情報表示装置において、
前記透明蓋は、前記透明蓋上に情報を表示する表示部を備え、前記表示部は、タッチパネル機能を有する
ことを特徴とする情報表示装置。
【請求項３７】
請求項３２に記載の情報表示装置において、
前記記録用紙は、長尺の記録用紙がロール状に巻かれたロール紙であり、前記台座の上部に配置される
ことを特徴とする情報表示装置。
【請求項３８】
請求項３２に記載の情報表示装置において、
前記収納容器内に収納された前記記録用紙は、前記収納口から自動的に排出可能である
ことを特徴とする情報表示装置。
【請求項３９】
請求項３２に記載の情報表示装置において、
印画された前記記録用紙は、前記収納容器内に収納することなく自動的に排出可能である
ことを特徴とする情報表示装置。
【発明の詳細な説明】
【技術分野】
【０００１】
本発明は、印画された記録用紙を観賞可能とする印画済み用紙スタンド、印画された記録用紙を収納する画像形成装置の排紙トレー、さらに、プリンタ、複写機、ファクシミリ等の各種の画像形成装置、及び表示器に表示された画像等の各種の情報を縦覧可能とする情報表示装置に係るものであり、詳しくは、印画された記録用紙を収納すると、そのままスタンドとなるようにした技術に関するものである。
【背景技術】
【０００２】
プリンタ、複写機、ファクシミリ等の各種の画像形成装置によって印画された記録用紙は、必要に応じて保管され、縦覧に供される。特に、画像データを写真画質で印画したものは、別途、写真立てに収納して飾っておくことにより、皆が観賞できるようにしたり、部屋のインテリアとすること等が行われている。
【０００３】
このように、印画された記録用紙は、適宜、写真立て等に収納され、利用されるものであるが、そのためには、印画済み用紙を画像形成装置から一旦取り出し、その後、別に用意した写真立て等に移しかえる必要がある。すなわち、画像形成装置と写真立て等とは全くの別物であって、一般的に、印画された記録用紙が自動的に写真立て等に収納されることはない。
【０００４】
そこで、プリンタの排紙トレーをそのまま写真立てとして利用することができるようにした技術が知られている。すなわち、プリンタに着脱可能に構成された本体を有するアダプタであって、このアダプタの本体に、プリンタの排出口を介して排紙された印画済み用紙の収容空間を形成したものである（例えば、特許文献１参照）。
【特許文献１】特開２００２−１６０４２０号公報
【０００５】
上記の特許文献１に記載の技術によれば、アダプタの本体をプリンタに装着した状態で印画を行い、排紙することにより、アダプタの収容空間内に印画済み用紙を収納する。そして、プリンタからアダプタを取り外し、アダプタを立てて置けば、アダプタの透明窓を介して印画済み用紙が観賞可能となり、写真立てと同様の状態となる。
【発明の開示】
【発明が解決しようとする課題】
【０００６】
しかし、上記の特許文献１に記載の技術において、アダプタを写真立てとして利用するためには、プリンタからアダプタを取り外した後、アダプタを立てて置く必要がある。すなわち、アダプタの収容空間内に印画済み用紙が自動的に収納されるようになっているものの、このアダプタがそのまま写真立てとなるわけではない。
【０００７】
ここで、上記の特許文献１に記載の技術では、プリンタがデジタルカメラの背面側に一体化されており、アダプタは、デジタルカメラの側面側に突出した状態でプリンタに装着される。そのため、デジタルカメラを横置きすれば、プリンタからアダプタを取り外すことなく、印画済み用紙を観賞することも可能である。
【０００８】
しかし、この場合には、デジタルカメラとアダプタとが横並びの状態となってしまう。そのため、たとえ印画済み用紙が観賞可能であるとしても、観賞の際には、デジタルカメラの部分が邪魔となってしまうので、写真立てのように皆が楽しく観賞できるものではない。ましてや、部屋のインテリアとするには無理がある。
【０００９】
また、上記の特許文献１に記載の技術では、デジタルカメラの背面側にプリンタが一体化されているので、デジタルカメラに保持された画像の表示器が存在しない。そのため、デジタルカメラ内の画像情報は、プリンタで実際に印画を行わなければ観賞することができない。
【００１０】
したがって、本発明が解決しようとする課題は、印画された記録用紙を収納するとそのままスタンドとなり、しかも、スタンド以外の部分を隠すことにより、皆が楽しく観賞でき、部屋のインテリアにもなる印画済み用紙スタンド、排紙トレー、画像形成装置を提供することであり、また、印画前の画像等を縦覧できるようにした情報表示装置を提供することである。
【課題を解決するための手段】
【００１１】
本発明は、以下の解決手段によって、上述の課題を解決する。
本発明の１つである請求項１に記載の発明は、印画された記録用紙の収納容器と、前記収納容器内に前記記録用紙を収納するための収納口と、前記収納容器を立てておくための台座と、立てた状態の前記収納容器の前面に取り付けられる透明蓋とを備え、前記収納容器内に収納された前記記録用紙を前記透明蓋を介して観賞可能とする印画済み用紙スタンドであって、前記収納容器を立てた状態で、前記収納容器の背面側に画像形成装置の印画部を接続可能な接続部を備え、前記接続部に前記印画部を接続して印画を行うと、印画された前記記録用紙は、前記収納口から前記収納容器内に自動的に収納可能となることを特徴とする。
【００１２】
すなわち、請求項１に記載の発明は、印画済み用紙スタンドの収納容器の背面側に画像形成装置の印画部を接続可能とすることにより、画像形成装置の印画部を接続した場合であっても、観賞の際に邪魔となる印画部が前面側から見えなくなるようにしている。そして、実際に印画を行うと、印画された記録用紙が収納容器内に自動的に収納され、観賞可能となる。
【００１３】
また、本発明の他の１つである請求項１１に記載の発明は、印画された記録用紙の収納容器と、前記収納容器内に前記記録用紙を収納するための収納口と、前記収納容器と画像形成装置の印画部とを接続するための接続部とを備え、前記接続部によって前記収納容器と前記印画部とを接続して印画を行うと、印画された前記記録用紙が前記収納口から前記収納容器内に自動的に収納可能となる排紙トレーであって、前記収納容器を立てておくための台座と、立てた状態の前記収納容器の前面に取り付けられる透明蓋とを備え、前記接続部は、前記収納容器を立てた状態で、前記収納容器の背面側に前記印画部を接続可能であり、前記収納容器内に収納された前記記録用紙は、前記透明蓋を介して観賞可能であることを特徴とする。
【００１４】
さらに、本発明の他の１つである請求項２１に記載の発明は、記録用紙に印画を行う印画部と、印画された前記記録用紙の収納容器と、前記収納容器内に前記記録用紙を収納するための収納口とを備え、前記印画部によって印画を行うと、印画された前記記録用紙が前記収納口から前記収納容器内に自動的に収納可能となる画像形成装置であって、前記収納容器を立てておくための台座と、立てた状態の前記収納容器の前面に取り付けられる透明蓋とを備え、前記印画部は、前記収納容器を立てた状態で、前記収納容器の背面側に位置しており、前記収納容器内に収納された前記記録用紙は、前記透明蓋を介して観賞可能であることを特徴とする。
【００１５】
すなわち、請求項１１に記載の発明は、画像形成装置の排紙トレーがそのままスタンドとなるようにしたものであって、上記の請求項１の印画済み用紙スタンドと同様に、観賞の際に邪魔となる印画部が前面側から見えず、印画された記録用紙は、収納容器内に自動的に収納されて観賞可能となる。
そして、請求項２１に記載の発明は、上記の請求項１１の排紙トレーを備えるようにした画像形成装置である。
【００１６】
さらにまた、本発明の他の１つである請求項３２に記載の発明は、情報を表示する表示器と、前記表示器を立てておくための台座と、立てた状態の前記表示器の前面に取り付けられる透明蓋とを備え、前記表示器に表示された情報を前記透明蓋を介して縦覧可能とする情報表示装置であって、前記表示器を立てた状態で、前記表示器の背面側に画像形成装置の印画部を接続可能な接続部と、前記透明蓋と前記表示器との間に形成された空間内に前記印画部によって印画された記録用紙を収納するための収納口とを備え、前記接続部に前記印画部を接続して印画を行うと、印画された前記記録用紙が前記収納口から前記空間内に自動的に収納可能となり、前記空間内に収納された前記記録用紙は、前記透明蓋を介して観賞可能であることを特徴とする。
【００１７】
すなわち、請求項３２に記載の発明は、表示器により、例えば印画前の画像を表示して縦覧することができる。そして、表示された画像の印画を行うと、印画された記録用紙が収納容器内に自動的に収納され、印画された記録用紙の観賞が可能となる。なお、印画の際に、観賞の邪魔となる印画部が前面側から見えなくなるようにしている点は、上記の請求項１、請求項１１及び請求項２１に記載の発明と同様である。
【００１８】
上記の各発明においては、名称は何であれ、最終的に同一形態のものとすることができる。すなわち、印画済み用紙スタンド、排紙トレー、又は情報表示装置に印画部を接続した形態が画像形成装置である。なお、記録用紙としてロール紙を使用し、このロール紙を台座の上部に配置することにより、印画部が収納容器の背面側に隠れ、しかも、立てた状態が安定し、デザイン的にも優れたものとなる。
【００１９】
また、印画済み用紙スタンド、排紙トレー、又は画像形成装置に表示器を備えた形態が情報表示装置である。ここで、印画済みの記録用紙は、透明蓋と表示器との間に形成された空間内に収納される。そのため、表示器に表示された画像等よりも記録用紙に印画された画像等を優先して観賞することができる。なお、表示器に表示する画像等は、例えば透明蓋上に、タッチパネル機能を有する表示部を備えるようにし、表示部に表示された情報画像を選択等すれば良い。
【００２０】
さらに、印画された記録用紙の照明具を備えるようにすることで、暗い部屋内での観賞も可能となり、この照明具として、表示器（例えば液晶ディスプレイ等）の発光を利用することもできる。なお、印画された記録用紙は、透明蓋を開くことによって収納容器から取り出したり、収納容器の収納口から自動的に排出したり、収納容器内に収納することなく自動的に排出したりすることができる。
【発明の効果】
【００２１】
本発明の印画済み用紙スタンド、排紙トレー、画像形成装置、及び情報表示装置によれば、印画を行うと、印画された記録用紙が収納容器の収納口から自動的に収納可能となって、収納された記録用紙が透明蓋を介して観賞可能となる。そのため、画像形成装置から印画済み用紙を取り出して移しかえることなく、そのまま写真立て等と同様のスタンドとなる。
【００２２】
また、画像形成装置の印画部は、収納容器を立てた状態で、収納容器の背面側に位置しているので、印画された記録用紙の観賞の際に、スタンド以外の部分が収納容器の後ろに隠れることとなる。そのため、皆が楽しく観賞することができ、部屋のインテリアとすることもできる。
【発明を実施するための最良の形態】
【００２３】
以下、図面を参照して、本発明の一実施形態について説明する。
本発明における印画済み用紙スタンド、排紙トレー、画像形成装置、及び情報表示装置は、下記実施形態において同一形態のものであり、画像形成装置に相当するロール紙プリンタ１０がそのまま情報表示装置にも相当し、ロール紙プリンタ１０の一部（本発明における印画部に相当するインクジェットヘッド１１と、本発明における記録用紙に相当するロール紙１２とを除く部分）が印画済み用紙スタンド及び排紙トレーに相当する。
【００２４】
図１は、本実施形態のロール紙プリンタ１０を前面側から見た斜視図である。
図２は、本実施形態のロール紙プリンタ１０を背面側から見た斜視図である。
図１及び図２に示すように、ロール紙プリンタ１０は、インクジェットヘッド１１（図示せず）によって印画されたロール紙１２の収納容器１３と、収納容器１３を立てておくための台座１４と、立てた状態の収納容器１３の前面に取り付けられた開閉可能な透明蓋１５とから構成されている。
【００２５】
ここで、インクジェットヘッド１１（図示せず）及びロール紙１２は、台座１４の上部のケース内に配置されており、台座１４の上部に形成された接続部１６により、収納容器１３を立てた状態で、収納容器１３の背面側に接続されている。そのため、図１及び図２に示すように、収納容器１３の後ろにインクジェットヘッド１１（図示せず）及びロール紙１２が隠れることとなる。
【００２６】
図３は、本実施形態のロール紙プリンタ１０を示す断面図である。
図３に示すように、台座１４の上部のケース内には、長尺の記録用紙がロール状に巻かれたロール紙１２が配置されている。このロール紙１２は、ケースの側面を開けることによって補充することができる。そして、ロール紙１２は、一対の給紙ローラに挟まれて給紙され、インクジェットヘッド１１によって印画が行われる。
【００２７】
ここで、インクジェットヘッド１１は、多数のヘッドをロール紙１２の幅方向に並べて配置したものであり、印画幅分のラインヘッドを形成したライン方式のものである。そのため、インクジェットヘッド１１をロール紙１２の幅方向に移動させることなく、印画を行うことができる。また、インクジェットヘッド１１には、インクカートリッジ１７からＹ（イエロー）、Ｍ（マゼンタ）、Ｃ（シアン）、及びＫ（ブラック）の４色のインクが供給されており、ロール紙１２にカラーの写真画質で印画を行うことができる。
【００２８】
なお、インクジェットヘッド１１、ロール紙１２、及びインクカートリッジ１７は、接続部１６から一体的に取り外すことができ、着脱自在となっている。また、インクジェットヘッド１１、ロール紙１２、又はインクカートリッジ１７を個別に取り外すこともできるので、インクカートリッジ１７の取替え等も容易に行える。
【００２９】
また、ロール紙１２に対する印画データは、パーソナルコンピュータやテレビ等のソース（図示せず）からワイヤレスで送信され、制御基板１８に実装された受信部で受信されるとともに、メモリに記憶される。なお、制御基板１８には、ソース（図示せず）との有線接続のための各種インターフェース（ＲＳ２３２Ｃ，ＳＣＳＩ，ＩＥＥＥ１３９４，ＵＳＢ等）も設けられている。
【００３０】
メモリに記憶された印画データに基づいて、インクジェットヘッド１１によって印画が行われたロール紙１２は、一対の排紙ローラに挟まれて排紙され、収納容器１３の下部に形成された収納口１９を通って収納容器１３内に自動的に収納される。そして、収納された印画済みのロール紙１２は、透明蓋１５を介して観賞することができる。
【００３１】
また、ロール紙１２は、印画された部分が収納容器１３内に収納されると、印画されていない部分との間が自動的に切断される。そして、次に印画が行われたロール紙１２は、既に収納されている印画済みのロール紙１２の上に自動的に収納され、印画済みのロール紙１２が次々に積層される。このようにして収納容器１３内に積層して収納された印画済みのロール紙１２は、図３の点線で示すように、透明蓋１５を開くことにより、簡単に取り出すことができる。
【００３２】
このように、図３に示すロール紙プリンタ１０によれば、印画済みのロール紙１２が収納容器１３内に収納されると、透明蓋１５を介して直ちに観賞可能となる。すなわち、ロール紙プリンタ１０の排紙トレーに相当する部分が、そのまま写真立て等と同様の印画済み用紙スタンドとなっている。
【００３３】
ところで、図３に示すロール紙プリンタ１０において、収納容器１３の背面は、バックライト付きの液晶ディスプレイ２０（本発明における表示器及び照明具に相当するもの）で構成されている。
また、透明蓋１５は、透明蓋１５上に情報を表示し、タッチパネル機能を有する有機ＥＬ（エレクトロルミネセンス）ディスプレイの表示部（図示せず）を備えている。
【００３４】
ここで、本発明における表示部（図示せず）に相当する有機ＥＬディスプレイには、メモリに記憶された印画データに基づく画像がサムネイル形式で表示される。
また、クリックすることによって表示の選択がなされたサムネイルは、液晶ディスプレイ２０の全面に表示される。すなわち、液晶ディスプレイ２０には、印画可能な全ての画像を表示することができる。
【００３５】
したがって、図３に示すロール紙プリンタ１０は、収納容器１３内に印画済みのロール紙１２が収納されていない場合であっても、メモリに記憶され、液晶ディスプレイ２０に表示された画像を縦覧することができる。すなわち、ロール紙プリンタ１０は、そのまま画像の情報表示装置に相当するものとなっている。
【００３６】
そして、透明蓋１５の有機ＥＬディスプレイに表示されたサムネイルをクリックし、印画を選択すると、選択された画像がインクジェットヘッド１１によって印画される。印画済みのロール紙１２は、透明蓋１５と液晶ディスプレイ２０との間に形成された空間内に入るので、液晶ディスプレイ２０に表示された画像に優先して観賞することができる。なお、透明蓋１５と液晶ディスプレイ２０との間に形成された空間内に印画済みのロール紙１２が収納されている場合には、液晶ディスプレイ２０を本発明における照明具として機能させることができる。
【００３７】
図４は、本実施形態のロール紙プリンタ１０を前面側から見た斜視図であり、印画されたロール紙１２の収納中の状態を示す図である。
図４に示すように、最初は、透明蓋１５を介して、液晶ディスプレイ２０に表示された画像が縦覧できる状態にある。この状態では、透明蓋１５の有機ＥＬディスプレイに表示されたサムネイルをクリックし、表示を選択することにより、縦覧画像を簡単に自由に変更できるという利点がある。しかし、表示画像の解像度の点では、必ずしも十分なものではない。
【００３８】
そこで、お気に入りの一枚を高解像度で観賞するために、例えば液晶ディスプレイ２０に表示された画像を印画する。印画を行うには、透明蓋１５の有機ＥＬディスプレイに表示されたサムネイルをクリックし、印画を選択する。すると、インクジェットヘッド１１（図３参照）によって印画が行われ、図４に示すように、印画済みのロール紙１２が透明蓋１５と液晶ディスプレイ２０との間に形成された収納容器１３の空間内に入り、高解像度での観賞が可能となる。
【００３９】
図５は、本実施形態のロール紙プリンタ１０を前面側から見た斜視図であり、印画されたロール紙１２の排出中の状態を示す図である。
ロール紙１２に印画された画像は、写真画質のものであり、液晶ディスプレイ２０に表示された画像に比べ、高解像度となっている。しかし、別の画像を観賞したい場合や、印画されたロール紙１２を別の場所に保管等しておきたい場合には、収納容器１３から排出させる必要がある。
【００４０】
この場合、図３の点線で示すように、透明蓋１５を開いて取り出すこともできるが、図５に示すロール紙プリンタ１０では、収納容器１３の収納口から自動的に排出できるようになっている。この排出機構は、印画済みのロール紙１２を収納容器１３内に自動的に収納するための排紙ローラ（図示せず）の逆回転と、経路切替手段（図示せず）とによるもので、透明蓋１５の有機ＥＬディスプレイのタッチパネル機能を利用している。
【００４１】
すなわち、透明蓋１５の有機ＥＬディスプレイのクリック操作によって排出を選択すると、図５に示すように、印画済みのロール紙１２は、収納容器１３の下部に形成された収納口からロール紙プリンタ１０の前面側に自動的に排出される。そのため、透明蓋１５を開けなくても、印画済みのロール紙１２を簡単に取り出すことができる。
【００４２】
なお、この排出機構は、収納容器１３内にある印画済みのロール紙１２を排出するだけでなく、インクジェットヘッド１１（図３参照）によって印画されたロール紙１２を直接ロール紙プリンタ１０の前面側に排出することもできる。すなわち、経路切替手段（図示せず）により、印画されたロール紙１２を収納容器１３内に収納することなく、そのまま自動的に排出することもできる。
【００４３】
このように、本実施形態のロール紙プリンタ１０は、収納容器１３の後ろにインクジェットヘッド１１及びロール紙１２が隠れているので、ロール紙１２に印画された画像や、液晶ディスプレイ２０に表示された画像の観賞の際に、収納容器１３及び透明蓋１５以外の部分が邪魔にならず、皆が楽しく観賞することができる。しかも、デザイン的に優れたものとなっているので、部屋のインテリアとすることもできる
【００４４】
また、本実施形態のロール紙プリンタ１０は、印画されたロール紙１２を収納容器１３内に自動的に収納することができるので、インクジェットヘッド１１によって印画を行えば、それがそのまま写真立て等と同様のスタンドとなり、印画済みのロール紙１２が観賞可能となる。
【００４５】
以上、本発明の実施形態について説明したが、本発明は、上記実施形態に限定されることなく、以下のような種々の変形等が可能である。すなわち、
（１）本実施形態では、画像形成装置としてロール紙プリンタ１０を例に挙げたが、これに限らず、各種のプリンタ、複写機、ファクシミリ等の画像形成装置に適用することができる。
【００４６】
（２）本実施形態では、ライン方式のインクジェットヘッド１１によって印画を行っているが、これに限らず、シリアル方式であっても良い。また、インクの吐出方式は、サーマル方式、静電吐出方式、ピエゾ方式等、何でも良い。さらに、インクジェット方式ではなく、熱転写方式等のヘッドで印画することもできる。
【００４７】
（３）本実施形態では、記録用紙としてロール紙１２に対して印画を行っているが、これに限らず、カット紙等の各種の記録用紙を使用することができる。なお、立てた状態の安定性、紙量、デザイン面等を考えると、ロール紙１２が記録用紙として最適なものである。
【００４８】
（４）本実施形態では、情報を表示する表示器としてバックライト付きの液晶ディスプレイ２０を使用し、画像を表示しているが、これに限らず、各種の表示装置を使用することができる。また、表示する情報は、画像の他、文字等であっても良い。さらに、液晶ディスプレイ２０を照明具としても機能させているが、別途、照明具を備えるようにしても良い。
【００４９】
（５）本実施形態では、透明蓋１５上に情報を表示する表示部としてタッチパネル機能を有する有機ＥＬディスプレイを使用し、画像をサムネイルで表示しているが、これに限らず、各種の表示装置を使用することができる。また、表示する情報は、画像の他、文字等であっても良い。さらに、タッチパネル機能を省き、別途、操作部を備えるようにしても良い。
【産業上の利用可能性】
【００５０】
本発明の印画済み用紙スタンド、排紙トレー、画像形成装置、及び情報表示装置によれば、印画された記録用紙が収納容器の収納口から自動的に収納され、透明蓋を介して観賞可能となるので、そのまま写真立て等と同様のスタンドとなる。また、印画された記録用紙の観賞の際に、スタンド以外の部分が収納容器の後ろに隠れることとなるので、皆が楽しく観賞することができ、部屋のインテリアとしても利用することができる。
【図面の簡単な説明】
【００５１】
【図１】本実施形態のロール紙プリンタを前面側から見た斜視図である。
【図２】本実施形態のロール紙プリンタを背面側から見た斜視図である。
【図３】本実施形態のロール紙プリンタを示す断面図である。
【図４】本実施形態のロール紙プリンタを前面側から見た斜視図であり、印画されたロール紙の収納中の状態を示す図である。
【図５】本実施形態のロール紙プリンタを前面側から見た斜視図であり、印画されたロール紙の排出中の状態を示す図である。
【符号の説明】
【００５２】
１０  ロール紙プリンタ（印画済み用紙スタンド、排紙トレー、画像形成装置、情報表示装置）
１１  インクジェットヘッド（印画部）
１２  ロール紙（記録用紙）
１３  収納容器
１４  台座
１５  透明蓋
１６  接続部
１９  収納口
２０  液晶ディスプレイ（表示器、照明具）
【図１】
2006036447.tif 000003
【図２】
2006036447.tif 000004
【図３】
2006036447.tif 000005
【図４】
2006036447.tif 000006
【図５】
2006036447.tif 000007